(57)【要約】      （修正有）【課題】微量放射線を放射する天然鉱石を含んで構成されたマイナスイオン発生部材を備える床頭台を提供する。【解決手段】床頭台Ｓは床頭台本体１を備えている。床頭台本体１は、スライドテーブル１０と、引き出し１１，１２及び装置収納部１３と、冷蔵庫収納部１４を備えている。引き出し１２の前板１２０には、取着凹部が形成されている。取着凹部は、傍に設けたベッドＢ上に使用者６が寝た状態のときに、使用者６の顔の高さと略同じ高さとなるような位置に設けられている。取着凹部には、マイナスイオン発生部材５が埋設されている。マイナスイオン発生部材５は、天然鉱石であるラジウム鉱石を含んで構成した焼成品を使用している。【選択図】図１
2008000556.tif 000002
【特許請求の範囲】
【請求項１】
病院や老人養護施設等で使用される床頭台(S)であって、
少なくとも一部を床頭台の表面に露出させた状態でマイナスイオン発生部材(5)が設けられており、当該マイナスイオン発生部材(5)は微量放射線を放射する天然鉱石を含んで構成されている、
床頭台。
【請求項２】
床頭台(S)は、引き出しを備える収納部(12)、開き戸を備える収納部または引き戸を備える収納部を有しており、マイナスイオン発生部材(5)は上記収納部を構成する前側の板部材(120)に埋設されている、
請求項１記載の床頭台。
【請求項３】
マイナスイオン発生部材(5)は、床頭台(S)をベッド(B)の傍に設置した状態において、ベッド(B)上に寝た使用者(6)の顔の高さと同じかまたは実質的に同じ高さとなる位置に設けられている、
請求項１または２記載の床頭台。
【発明の詳細な説明】
【技術分野】
【０００１】
本発明は床頭台に関する。更に詳しくは、微量放射線を放射する天然鉱石を含んで構成されたマイナスイオン発生部材を備える床頭台に関する。
【背景技術】
【０００２】
病院や老人養護施設等のベッドの傍には、通常、衣類や身の回り品を収納するための床頭台が設置されている。一般的な床頭台は、天板上にテレビが置かれており、その下部に引き出し等からなる複数の収納部が設けられた構造を有している。従来の床頭台としては、例えば、特許文献１に開示されたものがある。
【特許文献１】特開２００１−１２１３０号公報
【０００３】
ところで近年、健康や美容に対する関心は益々増加傾向にあり、このための手段のひとつとして自然界に存在するマイナスイオンが注目されている。マイナスイオンは、ストレス緩和、疲労回復、精神安定・不眠の改善、集中力向上、血液浄化（血液のアルカリ化、粘性の低下）、新陳代謝促進、免疫力亢進、アレルギー（例えばアトピー）の抑制、自律神経調整効果、肩こり軽減、血糖降下作用等の様々な健康増進効果をもたらすと言われている。
【０００４】
マイナスイオンは、自然界にて多く発生していることが知られており、特に森林や滝の傍での発生量が際立っていることは周知である。近年、マイナスイオンは人工的にも作ることができる。このような装置として、例えば、コロナ放電方式を利用した装置、電子放射方式を利用した装置、プラズマを利用した装置等がある。
【発明の開示】
【発明が解決しようとする課題】
【０００５】
本発明者は床頭台の開発に従事しており、新製品を生み出すべく研究を重ねていた。そして研究の過程にて、従来の床頭台にはいずれもマイナスイオンを発生させるような機能を備えたものがないことを知得した。このことから本発明者は、ベッドの傍に常時設置してある床頭台に上記したマイナスイオン発生装置を内蔵し、床頭台によってマイナスイオンを発生させることができれば、ベッドの使用者に日常的にマイナスイオンを供給でき、これにより使用者の健康維持に少しでも貢献できるのではないかとの着想を得た。
【０００６】
しかし、上記したマイナスイオン発生装置は比較的大型のものが多く、床頭台に内蔵すると収納部分が減少してしまうので、床頭台としての機能が損なわれてしまうという課題がある。また、床頭台を大型化することも病院等におけるベッドの傍のスペースには制限があるので困難である。つまり、マイナスイオン発生装置を床頭台に設けることは簡単でなかった。
【０００７】
本発明者は、更に研究を重ね、微量放射線が空気中の水分子と反応することでマイナスイオンを発生させるという事実を知得した。そこでマイナスイオンを発生させる手段として、微量放射線を放射している天然鉱石に着目し、更にこれを塊状物として形成することにより、マイナスイオンを発生させる手段自体が小型化できるとの着想を得た。
本願発明は、上記着想に基づき開発されたものである。
【０００８】
本発明の目的は、微量放射線を放射する天然鉱石を含んで構成されたマイナスイオン発生部材を備える床頭台を提供することにある。
【課題を解決するための手段】
【０００９】
上記目的を達成するために本発明が講じた手段は次のとおりである。
本発明は、病院や老人養護施設等で使用される床頭台であって、
少なくとも一部を床頭台の表面に露出させた状態でマイナスイオン発生部材が設けられており、当該マイナスイオン発生部材は微量放射線を放射する天然鉱石を含んで構成されている床頭台である。
【００１０】
床頭台は、引き出しを備える収納部、開き戸を備える収納部または引き戸を備える収納部を有しており、マイナスイオン発生部材は上記収納部を構成する前側の板部材に埋設されていることが好ましい。
【００１１】
マイナスイオン発生部材は、床頭台をベッドの傍に設置した状態において、ベッド上に寝た使用者の顔の高さと同じかまたは実質的に同じ高さとなる位置に設けられていることが好ましい。
【００１２】
マイナスイオン発生部材を構成する天然鉱石としては、例えば、ラジウム鉱石を含むものを挙げることができる。ラジウム鉱石からは放射線のひとつであるアルファ線が放射されており、近年の研究にてアルファ線が空気中の水分子と反応することでマイナスイオンを発生させることがわかっている。
【００１３】
収納部を構成する前側の板部材は、引き出しの場合では前板、開き戸や引き戸の場合では扉を示している。また、マイナスイオン発生部材は、これらの板部材以外の箇所、例えば、床頭台を構成する側板、背板、底板、天板、テレビ等を設置する載置台、前後方向にスライド可能なスライドテーブル等に設けることもできる。
【００１４】
マイナスイオン発生部材は、粉状や粒状、小片状等の天然鉱石を焼結や接着剤等によって塊状物に形成したものが好適に使用される。しかし、これは限定するものではなく、例えば、粉状や粒状、小片状等の天然鉱石を容器に収容して塊状物に形成したものを使用しても良い。また、マイナスイオン発生部材は、上記した焼結や接着剤で固めたり、容器に収容したりすることで任意の形状に形作ることができる。
【００１５】
なお、特許請求の範囲及び次の作用の欄では、本発明の各構成要件のそれぞれに、後述する実施の形態において各部に付与した符号を対応させて付与して説明している。しかし、この符号の付与はあくまで説明の理解を容易にするためであって、各構成要件の上記各部への限定を意味するものではない。
【００１６】
（作  用）
本発明に係る床頭台(S)は、病院や老人養護施設等で使用される。床頭台(S)には、少なくとも一部を床頭台の表面に露出させた状態でマイナスイオン発生部材(5)が設けられている。マイナスイオン発生部材(5)によってマイナスイオンが発生する。
【００１７】
マイナスイオン発生部材(5)が、床頭台(S)をベッド(B)の傍に設置した状態において、ベッド(B)上に寝た使用者(6)の顔の高さと同じかまたは実質的に同じ高さとなる位置に設けられているものは、マイナスイオンを寝ている使用者(6)に供給しやすい。
【発明の効果】
【００１８】
本発明は上記構成を備え、次の効果を有する。
（ａ）本発明に係る床頭台によれば、床頭台の表面に露出させた状態でマイナスイオン発生部材が設けてあり、マイナスイオン発生部材によってマイナスイオンが発生する。従って、ベッドの使用者や床頭台が設置された室内全体に日常的にマイナスイオンを供給する。これによりベッドの使用者等の健康維持に貢献できることが期待できる。
【００１９】
（ｂ）マイナスイオン発生部材が、床頭台をベッドの傍に設置した状態において、ベッド上に寝た使用者の顔の高さと同じかまたは実質的に同じ高さとなる位置に設けられているものは、マイナスイオンを寝ている使用者に供給しやすく、マイナスイオンの種々の効果がより得られやすい。
【発明を実施するための最良の形態】
【００２０】
本発明の実施の形態を図面に基づき更に詳細に説明する。
図１は本発明に係る床頭台の一実施の形態を示す使用状態斜視図、
図２は床頭台に設けたマイナスイオン発生部材を示すＡ−Ａ断面図である。
【００２１】
符号Ｓは床頭台を示している。床頭台Ｓは病院や老人養護施設等において使用されるものであって、床頭台Ｓの傍にはベッドＢが設置される。
【００２２】
床頭台Ｓは床頭台本体１を備えている。床頭台本体１は、前後方向にスライド可能なスライドテーブル１０と、収納部である引き出し１１，１２及び装置収納部１３と、冷蔵庫収納部１４を備えている。引き出し１１はスライドテーブルの下側に設けられており、引き出し１２は引き出し１１の下側に設けられている。装置収納部１３にはテレビの閲覧時間を時間毎に課金する閲覧時間課金装置１３０が収納されている。また、冷蔵庫収納部１４には冷蔵庫１４０が収納されている。
【００２３】
床頭台本体１の上面部はテレビ等が載置できる載置台１５である。載置台１５上にはテレビ１５０が載置されている。符号１６は床頭台本体１を構成する側板であり、符号１７は底板である。一方の側板１６にはタオル掛け部１６０が設けられている。タオル掛け部１６０にはタオル１６１が掛けられている。底板１７の裏面にはキャスター１７０が四箇所に設けてある。キャスター１７０は動きを固定するための固定機能を有している。
【００２４】
床頭台本体１の載置台１５上には、側板１６，１６側から上方に延びて一対の支持部材２，２が立設されている。支持部材２，２の上部には天板３が架設されている。天板３の後ろ側にあたる支持部材２，２及び側板１６，１６で挟まれた間には、背板４が設けられている。
【００２５】
床頭台本体１を構成する引き出し１２の前板（前側の板部材）１２０には、マイナスイオン発生部材５を埋設する取着凹部１２１が形成されている。取着凹部１２１は、正面視において円形状を有しており、前板１２０を貫通せずに所要深さを備えるよう形成されている。取着凹部１２１は、傍に設けたベッドＢ上に使用者６が寝た状態のときに、使用者６の顔の高さと略同じ高さとなるような位置に設けられている。
【００２６】
マイナスイオン発生部材５は、前板１２０の取着凹部１２１内に埋設されている。マイナスイオン発生部材５は、正面視において円板形状を有するよう形成してあり、表面を露出させた状態で前板１２０と略面一になるよう埋め込まれている。マイナスイオン発生部材５は、天然鉱石であるラジウム鉱石と、リン酸カルシウムを主成分とするハイドロキシアパタイトを含んで構成した焼成品を使用している。本実施の形態でマイナスイオン発生部材５は、マイナスイオン測定器が接した状態で約３５００ｉｏｎｓ／ｃｍ３のマイナスイオンが発生するものを使用した。しかし、これは限定するものではない。
【００２７】
（作  用）
図１及び図２を参照して、本実施の形態で示す床頭台Ｓの作用を説明する。
床頭台Ｓには、表面が露出するようにマイナスイオン発生部材５が設けてあり、マイナスイオン発生部材５によってマイナスイオンが発生する。従って、ベッドＢの使用者６はもちろん、床頭台Ｓが設置された室内全体に日常的にマイナスイオンを供給する。これにより使用者６等の健康維持に貢献できることが期待できる。
【００２８】
特に、床頭台Ｓによれば、マイナスイオン発生部材５がベッドＢ上に寝ている使用者６の顔の高さと略同じ高さとなるような位置に設けられているので、マイナスイオンを寝ている使用者６に供給しやすく、マイナスイオンの種々の効果がより得られやすい。本実施の形態で示す床頭台Ｓについて、マイナスイオン発生部材５から約１ｍ離れた箇所（ベッドＢの使用者６を想定した距離）でのマイナスイオンをマイナスイオン測定器にて計ったところ、測定値は約５００ｉｏｎｓ／ｃｍ３であった。マイナスイオン測定器は、コムシステム株式会社製のＣＯＭ−３０１０を使用した。なお、床頭台Ｓを持ち込まない室内でマイナスイオンを計った場合では、測定値は約０〜２ｉｏｎｓ／ｃｍ３であった。
【００２９】
本実施の形態で示す床頭台Ｓは、本発明に係る床頭台を説明するものの一例であり、床頭台の構造等を限定するものではない。
【００３０】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００３１】
【図１】本発明に係る床頭台の一実施の形態を示す使用状態斜視図。
【図２】床頭台に設けたマイナスイオン発生部材を示すＡ−Ａ断面図。
【符号の説明】
【００３２】
Ｂ  ベッド
Ｓ  床頭台
１  床頭台本体
１０  スライドテーブル
１１  引き出し
１２  引き出し
１２０  前板
１２１  取着凹部
１３  装置収納部
１３０  閲覧時間課金装置
１４  冷蔵庫収納部
１４０  冷蔵庫
１５  載置台
１５０  テレビ
１６  側板
１６０  タオル掛け部
１６１  タオル
１７  底板
１７０  キャスター
２  支持部材
３  天板
４  背板
５  マイナスイオン発生部材
６  使用者
【図１】
2008000556.tif 000003
【図２】
2008000556.tif 000004